(57)【要約】  端末利用者に実際に広告が視聴されたのかまで広告主は分からないという課題を解決する為、本発明の通信システムは、サーバと端末を備え、前記サーバは、所定の第１の情報を端末に送信するサーバであって、前記第１の情報を送信する際、前記第１の情報に関連する事柄の入力を促す第２の情報も送信し、前記端末から送られてきた前記第２の情報に対する応答が所定の応答に対応するならば、第１の所定の信号を出力するサーバであり、前記端末は、受信した前記第１の情報と前記第２の情報を自身に備わる画面に表示し、その後、入力されたデータを前記第２の情報に対する前記応答として出力する端末である。
2015015774.tif 000002
【特許請求の範囲】
【請求項１】
所定の第１の情報を端末に送信するサーバであって、
前記第１の情報を送信する際、前記第１の情報に関連する事柄の入力を促す第２の情報も送信し、
前記端末から送られてきた前記第２の情報に対する応答が所定の応答に対応するならば、第１の所定の信号を出力する、
ことを特徴とするサーバ。
【請求項２】
前記第１の所定の信号は、前記端末に対応する端末識別子を含む、
ことを特徴とする請求項１に記載のサーバ。
【請求項３】
所定の時刻になると、前記第１の情報と前記第２の情報を送信する、
ことを特徴とする請求項１乃至２のいずれか１項に記載のサーバ。
【請求項４】
前記第２の情報は、質問であり、
前記端末から送られてきた前記質問に対する回答が、所定の回答に対応するならば、前記第１の所定の信号を出力する、
ことを特徴とする請求項１乃至３のいずれか１項に記載のサーバ。
【請求項５】
前記第２の情報は、質問と少なくとも１つの回答選択肢を含むアンケートであり、
前記端末から送られてきた前記アンケートに対する回答が、前記回答選択肢のいずれかに対応するならば、対応する前記回答選択肢を出力する、
ことを特徴とする請求項１乃至３のいずれか１項に記載のサーバ。
【請求項６】
サーバと端末を備える通信システムであって、
前記サーバは、請求項１乃至５のいずれか１項に記載のサーバであり、
前記端末は、受信した前記第１の情報と前記第２の情報を自身に備わる画面に表示し、その後、入力されたデータを前記第２の情報に対する前記応答として出力する端末である、
ことを特徴とする通信システム。
【請求項７】
前記端末は、受信した前記第１の情報および前記第２の情報を所定のタイミングに表示する、
ことを特徴とする請求項６に記載の通信システム。
【請求項８】
前記端末は、所定の時刻になると、前記第１の情報を要求する要求信号を前記サーバに出力し、
前記サーバは、前記要求信号が入力されると、前記第１の情報と前記第２の情報を送信する、
ことを特徴とする請求項６乃至７のいずれか１項に記載の通信システム。
【請求項９】
所定の第１の情報を端末に送信する方法であって、
前記第１の情報を前記端末に送信する際、前記第１の情報に関連する事柄の入力を促す第２の情報も送信し、前記端末から送られてきた前記第２の情報に対する応答が所定の応答に対応するならば、第１の所定の信号を出力する、
ことを特徴とする情報送信方法。
【請求項１０】
所定の時刻になると、前記第１の情報と前記第２の情報を送信する、
ことを特徴とする請求項９に記載の情報送信方法。
【請求項１１】
自身が保持する全ての前記第１の情報と前記第２の情報を前記端末に送信していない場合には、送信していない前記第１の情報と前記第２の情報を前記端末に送信する、
ことを特徴とする請求項１乃至５に記載のサーバ。
【請求項１２】
前記第２の情報は、入力依頼であり、
前記端末から送られてきた前記入力依頼に対する応答が所定の応答に対応するならば、前記第１の所定の信号を出力する、
ことを特徴とする請求項１乃至３、又は請求項１１のいずれか１項に記載のサーバ。
【請求項１３】
前記第１の情報は、広告である、
ことを特徴とする請求項１乃至５、又は請求項１１乃至１２のいずれか１項に記載のサーバ。
【請求項１４】
前記第２の情報に対する応答が所定の応答に対応するならば、前記端末に対応する端末識別子を含む第２の所定の信号を出力する、
ことを特徴とする請求項１乃至５、又は請求項１１乃至１３のいずれか１項に記載のサーバ。
【請求項１５】
前記端末は、自身に備わる所定のキーが押下されると、前記第１の情報を要求する要求信号を前記サーバに出力し、
前記サーバは、前記要求信号が入力されると、前記第１の情報と前記第２の情報を送信する、
ことを特徴とする請求項６乃至７のいずれか１項に記載の通信システム。
【請求項１６】
前記端末の通信料金を管理する課金サーバを備え、
前記課金サーバは、請求項１４に記載の前記サーバから前記第２の所定の信号が入力されると、前記第２の所定の信号から抽出される前記端末識別子に対応する前記端末の前記通信料金を所定金額分、減額する、
ことを特徴とする請求項６乃至８、又は請求項１５のいずれか１項に記載の通信システム。
【請求項１７】
前記課金サーバは、前記端末識別子に対応する前記端末の前記通信料金を、前記所定の応答に対応した所定金額分、減額する、
ことを特徴とする請求項１６に記載の通信システム。
【請求項１８】
前記所定のタイミングとは、前記端末が通信を開始するとき、又は前記端末が通信を終了するときである、
ことを特徴とする請求項７乃至８、又は請求項１５乃至１７のいずれか１項に記載の通信システム。
【請求項１９】
請求項２乃至５のいずれか１項、又は請求項１１乃至１４のいずれか１項に記載の前記サーバから前記第１の所定の信号が入力されると、前記第１の所定の信号に含まれる前記端末識別子を表示する表示端末を備える、
ことを特徴とする請求項６乃至８、又は請求項１５乃至１８のいずれか１項に記載の通信システム。
【請求項２０】
前記所定のキーは、電源ボタン、若しくは通話ボタンである、
ことを特徴とする請求項１５乃至１９のいずれか１項に記載の通信システム。
【請求項２１】
前記第１の情報は、広告である、
ことを特徴とする請求項９乃至１０のいずれか１項に記載の情報送信方法。
【発明の詳細な説明】
【技術分野】
【０００１】
本発明は、サーバ、通信システム、情報送信方法に関し、特に、端末に広告を送信し、端末に広告を表示させる対価として端末利用者の通信料金を低減するサーバ、通信システム、情報送信方法に関する。
【背景技術】
【０００２】
一般的に、端末に広告を送信し、端末に広告を表示させる対価として端末利用者の通信料金を低減する通信システムが知られている。上述の通信システムは、以下の特許文献１、２に開示されている。【０００３】
特許文献１の通信システムは、広告情報管理センターと携帯端末を備える。広告情報管理センターは、所定の条件にしたがって広告情報を携帯端末に送信する。携帯端末は、送信された広告情報を広告情報データベースに保存する。携帯端末は、広告情報データベース内に保存した広告情報を定期的に読み出し、自身に備わる画面に表示する。携帯端末は、表示が完了したときに、保持している表示回数を更新する。携帯端末は、保持する表示回数を定期的に広告情報管理センターに送信する。広告情報管理センターは、各携帯端末からの表示回数を自身に備わる利用者別表示回数管理データベースに保存する。広告情報管理センターは、利用者別表示回数管理データベースに保存されている各携帯端末の表示回数を定期的に集計し、表示回数に応じて携帯端末の利用料金を低減し、広告主から受け取った広告掲載料を携帯端末使用者に配分する。【０００４】
上述の構成や動作の通り、特許文献１の通信システムは、携帯端末利用者の通信料金を低減すると共に、各携帯端末における広告の表示回数を取得することができる。広告主は、取得した表示回数を確認することで広告効果を数値で確認することができる。【０００５】
また、特許文献２のシステムは、携帯電話端末とサーバを備える。携帯電話端末の利用者は、携帯電話端末で広告を視聴すると、携帯電話端末から視聴結果情報をサーバに送信する。サーバは、携帯電話端末から視聴結果情報を受信すると、携帯電話利用者の通信費を軽減する。サーバは、軽減した通信費に相当する負担金を広告主に請求する。広告主は、負担金の額を確認することで、広告の効果を確認することができる。
【先行技術文献】
【特許文献】
【０００６】
【特許文献１】特開２００４−８０５５２号公報
【特許文献２】特開２００２−２３２６０４号公報
【発明の概要】
【発明が解決しようとする課題】
【０００７】
しかし、特許文献１の通信システムは、表示回数、すなわち端末の画面に定期的に広告が表示された回数を取得するだけなので、広告主は、携帯端末利用者が実際に広告を視聴したのかまでは分からないという課題があった。その結果、広告主は、広告の効果を十分に確認することができなかった。【０００８】
また、特許文献２のシステムも、広告主は、携帯端末利用者が実際に広告を視聴したのかまでは分からないという課題があった。なぜなら、特許文献２のシステムは、携帯電話端末から何らかの視聴結果情報を受信すれば通信費を軽減するからである。特許文献２のシステムは、広告を視聴していない携帯端末利用者から適当な視聴結果情報等を受信したときでも通信費を軽減してしまい、それに相当する負担金を広告主に請求してしまう。広告主は、請求された負担金の額を見ても、携帯端末利用者が実際に広告を視聴したのかまでは分からなかった。【０００９】
本発明は、上記課題を解決するサーバ、通信システム、情報送信方法を提供することを目的とする。
【課題を解決するための手段】
【００１０】
上記目的を達成するために、本発明のサーバは、所定の第１の情報を端末に送信するサーバであって、前記第１の情報を送信する際、前記第１の情報に関連する事柄の入力を促す第２の情報も送信し、前記端末から送られてきた前記第２の情報に対する応答が所定の応答に対応するならば、第１の所定の信号を出力する。【００１１】
上記目的を達成するために、本発明の通信システムは、サーバと端末を備える通信システムであって、前記サーバは、所定の第１の情報を端末に送信するサーバであって、前記第１の情報を送信する際、前記第１の情報に関連する事柄の入力を促す第２の情報も送信し、前記端末から送られてきた前記第２の情報に対する応答が所定の応答に対応するならば、第１の所定の信号を出力するサーバであり、前記端末は、受信した前記第１の情報と前記第２の情報を自身に備わる画面に表示し、その後、入力されたデータを前記第２の情報に対する前記応答として出力する端末である。【００１２】
上記目的を達成するために、本発明の情報送信方法は、所定の第１の情報を端末に送信する方法であって、前記第１の情報を前記端末に送信する際、前記第１の情報に関連する事柄の入力を促す第２の情報も送信し、前記端末から送られてきた前記第２の情報に対する応答が所定の応答に対応するならば、第１の所定の信号を出力する。
【発明の効果】
【００１３】
本発明によれば、通信システムは、端末利用者が実際に広告を視聴したことを広告主に通知することができる。広告主は、端末利用者が実際に広告を視聴したことが分かるので、広告の効果を十分に確認することができる。
【図面の簡単な説明】
【００１４】
【図１】本発明の第１の実施の形態における通信システムの構成例を示す図である。
【図２】本発明の第１の実施の形態における通信システムの動作を説明する為の図である。
【図３】本発明の第１の実施の形態における通信システムに備わる端末４０の画面に表示された広告等の一例を示す図である。
【図４】本発明の第１の実施の形態における通信システムの他の接続形態（その１）を例示した図である。
【図５】本発明の第１の実施の形態における通信システムの他の接続形態（その２）を例示した図である。
【図６】本発明の第２の実施の形態における通信システムの構成例を示す図である。
【図７】本発明の第２の実施の形態における通信システムの動作を説明する為の図である。
【図８】本発明の第３の実施の形態における通信システムの構成例を示す図である。
【図９】本発明の第３の実施の形態における通信システムの動作を説明する為の図である。
【図１０】本発明の第４の実施の形態における通信システムの構成例を示す図である。
【図１１】本発明の第４の実施の形態における通信システムの動作を説明する為の図である。
【図１２】本発明の第５の実施の形態における通信システムの構成例を示す図である。
【図１３】本発明の第５の実施の形態における通信システムの動作を説明する為の図である。
【図１４】本発明の第６の実施の形態における通信システムの構成例を示す図である。
【発明を実施するための形態】
【００１５】
次に本発明の実施形態について、図面を参照して詳細に説明する。
【００１６】
［第１の実施の形態］
［構成の説明］
まず、本発明の第１の実施の形態における通信システムの構成について説明する。
【００１７】
（１）本発明の第１の実施の形態における通信システムの構成
図１は、本発明の第１の実施の形態における通信システムの構成例を示す図である。図１に示されるように、本実施形態の通信システムは、広告サーバ１０と、課金サーバ２０と、広告主端末３０と、端末４０と、を備える。
【００１８】
広告サーバ１０、課金サーバ２０、広告主端末３０、および端末４０は、図１に示されるように、ネットワーク機器や有線回線を介して接続される。
【００１９】
上述の各サーバや各端末は、一般的なサーバや端末で実現される。
【００２０】
（２）本発明の第１の実施の形態における通信システムの概要
ここで、本実施形態の通信システムの概要について説明しておく。
【００２１】
まず、本実施形態の通信システムは、広告サーバ１０から端末４０に送信された広告を端末利用者が視聴したか否かを判別する。その為に、本実施形態の通信システムに備わる広告サーバ１０と端末４０は、以下の動作を行う。
【００２２】
・広告サーバ１０は、端末４０に広告を送信する際、広告の内容に関する質問も端末４０に送信する。
【００２３】
・端末４０は、受信した広告と広告の内容に関する質問を自身に備わる画面に表示し、端末４０の利用者によって質問の回答が入力されると、その回答を広告サーバ１０に送信する。
【００２４】
・広告サーバ１０は、端末４０から送信されてきた質問に対する回答が正しい回答ならば、端末４０の利用者が実際に広告を視聴したと判別する。
【００２５】
本実施形態の通信システムは、端末４０の利用者が実際に広告を視聴したと判別すると、広告主の持つ広告主端末３０を介して、広告が端末利用者に視聴されたことを広告主に通知する。具体的な通知方法は、後述の［動作の説明］にて説明する。
【００２６】
また、本実施形態の通信システムは、端末利用者が実際に広告を視聴したと判別したときには、広告を視聴した端末利用者の通信料金を低減する。
【００２７】
具体的には、広告サーバ１０は、端末４０の利用者が実際に広告を視聴したと判別したとき、端末４０に対応する端末識別子を課金サーバ２０に出力する。課金サーバ２０は、広告サーバ１０に接続される端末の通信料金を一般的な課金機能によって管理するサーバであり、端末識別子が入力されると、端末識別子が示す端末４０の通話料金を所定金額分、減額する。
【００２８】
本発明の第１の実施の形態における通信システムの動作の詳細を以下に説明する。
【００２９】
［動作の説明］
図２は、本発明の第１の実施の形態における通信システムの動作を説明する為の図である。図２を用いて、本実施形態の通信システムの動作の詳細を以下に説明する。
【００３０】
（１）広告サーバ１０への事前設定
まず、広告サーバ１０には、本実施形態の通信システムの管理者によって、広告および広告の内容に関する質問が事前に設定される。広告は、静止画や動画等の画像データや映像データであり、広告の内容に関する質問はテキストデータである。広告の内容に関する質問には、以下のように、回答方法が含まれることが望ましい。
【００３１】
「広告に表示されている製品は、スマートフォンですか？Ｙｅｓならば数字１を入力、Ｎｏならば数字２を入力して下さい。（回答方法）」
（２）本実施形態の通信システムの動作
本実施形態の通信システムの動作の詳細を以下に説明する。
【００３２】
（２−１）広告と質問の表示
まず、端末４０は、端末４０の利用者によって所定のキーが押下されると、図２に示されるように、広告の送信を要求する信号（以下、「広告開始要求信号」という）を広告サーバ１０に出力する(Ｓ１）。
【００３３】
この際、端末４０は、自身を示す識別子（以下、「端末識別子」という）を広告開始要求信号に含めて出力する。端末識別子は、端末４０の電話番号であってもよいし、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）であってもよい。上述の所定のキーは、端末４０の製造者によって端末４０に予め設けられたボタンであってもよい。
【００３４】
次に、広告サーバ１０は、端末４０から広告開始要求信号が入力されると、入力された広告開始要求信号から端末４０を示す端末識別子を抽出し、記憶する(Ｓ２）。
【００３５】
次に、広告サーバ１０は、自身に設定されている広告および広告の内容に関する質問（以下、「広告等」という）を端末４０に送信する(Ｓ３）。
【００３６】
なお、上述のＳ３において、広告サーバ１０は、広告等を電気信号に変換して端末４０に送信する。
【００３７】
次に、端末４０は、入力された電気信号から広告等を抽出し、抽出した広告等を自身に備わる画面に表示する（Ｓ４）。
【００３８】
ここで、図３は、端末４０の画面に表示された広告等の一例を示す図である。端末４０は、図３に示されるように、広告と共に、広告の内容に関する質問を表示する。図３では、広告の内容に関する質問の例として、「広告に表示されている製品は、スマートフォンですか？Ｙｅｓならば数字１を入力、Ｎｏならば数字２を入力して下さい。」と示している。
【００３９】
（２−２）端末利用者からの入力
次に、端末４０の利用者は、図示していないが、端末４０の画面に表示された広告と質問を視聴し、質問に対する回答を、端末４０に備わる入力デバイスから端末４０に入力する。例えば、図３に示した質問の場合、端末４０の利用者は、質問に対する回答として数字１を入力デバイスから端末４０に入力してもよい。
【００４０】
（２−３）広告を視聴したか否かの判別と広告主への通知
次に、端末４０は、入力された回答（例えば数字１）を、回答を示す信号に含めて広告サーバ１０に出力する（Ｓ５）。
【００４１】
具体的には、端末４０は、回答が入力デバイスに入力されると、入力デバイスから出力されるデータ（以下、「回答データ」という）を、回答を示す信号に含めて広告サーバ１０に出力する。
【００４２】
次に、広告サーバ１０は、回答を示す信号が端末４０から入力されると、その信号から回答（回答データ）を抽出し、その回答が正しい回答かを判別する（Ｓ６）。
【００４３】
具体的には、広告サーバ１０は、回答を示す信号が入力されると、その信号から回答データを抽出し、抽出した回答データが所定のデータと同じかどうかを判別する。上述の所定のデータは、本実施形態の通信システムの管理者によって広告サーバ１０に設定される。本実施形態の通信システムの管理者は、質問に対する正しい回答を端末４０の入力デバイスに入力した場合に、入力デバイスから出力されるデータを所定のデータとして広告サーバ１０に予め設定しておく。
【００４４】
次に、広告サーバ１０は、上述の回答データが所定のデータと同じ場合（Ｓ６でＹｅｓの場合）、端末４０を利用する者が広告を視聴したと判別し、端末利用者が広告を視聴したことを示す信号を広告主端末３０に出力する（Ｓ７）。
【００４５】
この際、広告サーバ１０は、端末利用者が広告を視聴したことを示す信号（以下、「広告視聴済信号」という）に、上述のＳ２で抽出した端末識別子を含めて出力する。
【００４６】
次に、広告主端末３０は、広告サーバ１０から広告視聴済信号が入力されると、その広告視聴済信号から端末識別子を抽出し、自身に備わる画面に表示する（Ｓ８）。
【００４７】
広告主は、広告主端末３０の画面を見て、端末識別子が示す端末の利用者が実際に広告を視聴したことが分かる。
【００４８】
（２−４）通信料の減額
広告サーバ１０は、上述のＳ７にて広告視聴済信号を広告主端末３０に出力した後、通信料の減額を要求する信号（以下、「減額要求信号」という）を課金サーバ２０に出力する（Ｓ９）。
【００４９】
この際、広告サーバ１０は、減額要求信号に上述のＳ２で抽出した端末識別子を含めて課金サーバ２０に出力する。
【００５０】
次に、課金サーバ２０は、減額要求信号が入力されると、減額要求信号から端末識別子を抽出し、端末識別子が示す端末４０の通信料金を所定金額、減額する（Ｓ１０）。
【００５１】
上述の所定金額は、本実施形態の通信システムの管理者によって、課金サーバ２０に設定される。
【００５２】
（２−５）Ｓ６でＮｏの場合の動作
上述のＳ６において、広告サーバ１０は、回答データが所定のデータと異なると判別した場合（Ｓ６でＮｏの場合）には、端末利用者が広告を視聴しているか分からないので、広告視聴済信号や減額要求信号を出力せず、動作を終了する。
【００５３】
（３）本実施形態の通信システムのその他の接続形態
図４は、本発明の第１の実施の形態における通信システムの他の接続形態（その１）を例示した図である。図５は、本発明の第１の実施の形態における通信システムの他の接続形態（その２）を例示した図である。
【００５４】
広告サーバ１０、課金サーバ２０、広告主端末３０、および端末４０は、図４に示されるように、事業者回線（専用線）やインターネット、さらには、交換機５０やゲートウエイ等のネットワーク機器を介して接続されてもよい。また、端末４０と広告サーバ１０は、図５に示されるように、基地局６０を介して接続されてもよい。この場合、端末４０は、一般的な携帯端末と同様、基地局６０と無線通信を行う機能を有する。
【００５５】
また、上記では、端末は１台のみ（端末４０のみ）を示したが、これに限らない。２台以上の端末が移動体通信システムに備わっていてもよい。各端末は、端末４０と同じ動作を行い、広告サーバ１０は、端末毎に上述のＳ２〜Ｓ３、Ｓ６〜Ｓ９を実施する。
【００５６】
さらに、上記では、広告は画像データや映像データと記載したが、テキストデータや音声データであってもよい。また、広告は、画像データ、映像データ、テキストデータ、および音声データのうちの少なくとも２つを合成したデータであってもよい。
【００５７】
（４）Ｓ６の他の動作例、および広告等の他の事前設定例
広告サーバ１０は、上述のＳ６において、回答データが所定のデータと同じかどうかを判別したが、代わりに、回答データが所定のデータを含んでいるかどうかを判別してもよい。
【００５８】
さらに、広告主端末３０は、広告等が設定されると、その広告等を電気信号として広告サーバ１０に出力する機能を有していてもよい。その場合、広告サーバ１０は、入力される電気信号から広告等を抽出し、抽出した広告等を記憶する機能を有する。広告主は、以下のように、広告等を広告サーバ１０に設定することができる。
【００５９】
・広告主は、広告等を広告主端末３０に設定する。広告主端末３０は、広告等が設定されると、設定された広告等を電気信号として広告サーバ１０に出力する。広告サーバ１０は、広告主端末３０から入力される電気信号から広告等を抽出し、記憶する。
【００６０】
［効果の説明］
本実施形態の通信システムは、端末利用者が実際に広告を視聴したことを広告主に通知することができる。
【００６１】
その理由は、本通信システムの広告サーバが、広告の内容に関する質問を端末に送信し、端末から送信されてきた質問に対する回答が正しい回答ならば、端末利用者が広告を視聴したと判別し、所定の信号を広告主の端末に出力するからである。
【００６２】
広告主は、携帯端末の利用者が実際に広告を視聴したことが分かるので、広告の効果を十分に確認することができる。
【００６３】
［第２の実施の形態］
次に、本発明の第２の実施の形態について説明する。第２の実施の形態の通信システムは、端末が通信を終了する際に、広告と質問が広告サーバから端末に送信されるシステムである。第２の実施の形態の通信システムは、第１の実施の形態の通信システムの変形例であり、第１の実施の形態の通信システムと同じ効果を有する。
【００６４】
［構成の説明］
図６は、本発明の第２の実施の形態における通信システムの構成例を示す図である。
【００６５】
本実施形態の通信システムは、図６に示されるように、広告サーバ１０と端末４０の代わりに、広告サーバ２１０と端末２４０を備える。また、本実施形態の通信システムは、図６に示されるように、端末２４０の通信先の端末として端末２７０を備える。
【００６６】
上述した以外の構成は、第１の実施の形態のおける通信システムと同じであるので、同一の符号を付して説明を省略する。
【００６７】
［動作の説明］
図７は、本発明の第２の実施の形態における通信システムの動作を説明する為の図である。図７を用いて、本実施形態における通信システムの動作を以下に説明する。
【００６８】
なお、端末２４０の利用者が、通信先の端末２７０と通話した後、通話を終了する為、電源ボタンを押下したことを前提に説明を進める。このとき、端末２４０は、電源ボタンを押下されると、上述の広告開始要求信号を出力する機能を有するものとする。
【００６９】
（１）本実施形態における通信システムの動作の説明
まず、端末２４０は、電源ボタンが端末利用者によって押下されると、図７に示されるように、広告開始要求信号を広告サーバ２１０に出力する（Ｓ２００）。
【００７０】
次に、広告サーバ２１０、課金サーバ２０、広告主端末３０、および端末２４０は、広告開始要求信号が広告サーバ２１０に入力されたことを契機に、上述のＳ２〜Ｓ１０を実施する（Ｓ２０１）。
【００７１】
次に、広告サーバ２１０は、Ｓ２〜Ｓ１０を実施後、通信終了を示す信号（以下、「通信終了信号」という）を端末２４０に出力する（Ｓ２０２）。
【００７２】
次に、端末２４０は、通信終了信号が広告サーバ２１０から入力されると、通信先の端末２７０との通信を終了する（Ｓ２０３）。
【００７３】
端末２４０は、一般的な手順、例えば、ＩＴＵ−ＴのＨ．２２５に規定される手順に従って、通信を終了してもよい。ＩＴＵ−Ｔは、Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒの略称である。
【００７４】
その他の動作については、第１の実施の形態の動作と同様である為、詳細の説明を省略する。
【００７５】
［第３の実施の形態］
次に、本発明の第３の実施の形態について説明する。第３の実施形態の通信システムは、トラヒック量の少ない時間帯（例えば、未明の時間帯等）に、広告や質問を広告サーバから端末に送信するシステムである。端末は、送信された広告と質問を記憶し、（日中などに）通信を行った際に、広告と質問を表示する。第３の実施の形態の通信システムは、トラヒック量の少ない時間帯に広告や質問が広告サーバから端末に送信されるので、第１の実施の形態の通信システムよりも輻輳が発生しにくい効果を有する。
【００７６】
［構成の説明］
図８は、本発明の第３の実施の形態における通信システムの構成例を示す図である。
【００７７】
本実施形態の通信システムは、図８に示されるように、広告サーバ１０と端末４０の代わりに、広告サーバ３１０と端末３４０を備える。また、本実施形態の通信システムは、図８に示されるように、端末３４０の通信先の端末として端末３７０を備える。
【００７８】
上述した以外の構成は、第１の実施の形態のおける通信システムと同じであるので、同一の符号を付して説明を省略する。
【００７９】
[動作の説明]
図９は、本発明の第３の実施の形態における通信システムの動作を説明する為の図である。図９を用いて、本実施形態における通信システムの動作を説明する。
【００８０】
（１）トラヒック量の少ない時間帯に広告等を端末に送信する動作
まず、端末３４０は、時刻機能を有し、所定の時刻になると、図９に示されるように、広告開始要求信号を広告サーバ３１０に出力する（Ｓ３０１）。
【００８１】
所定の時刻は、未明等のトラヒック量の少ない時間帯の時刻（以下、「設定時刻」という）であり、端末３４０の製造者によって、予め端末３４０に設定される。端末３４０の製造者は、本実施形態の通信システムの管理者にトラヒック量の少ない時間帯の時刻を確認してもよい。なお、端末３４０と広告サーバ３１０は、一般的なアップデート機能を備えていてもよい。この場合、広告サーバ３１０は、上述の一般的なアップデート機能によって上述の設定時刻を端末３４０に設定する。広告サーバ３１０には、本実施形態の通信システムの管理者によって上述の設定時刻が予め設定される。
【００８２】
次に、広告サーバ３１０は、上述のＳ３０１によって広告開始要求信号が入力されると、上述したＳ２〜Ｓ３を実施し、端末識別子を記憶すると共に、広告等を電気信号に変換して端末３４０に送信する（Ｓ２〜Ｓ３）。
【００８３】
次に、端末３４０は、入力された電気信号から広告等を抽出し、抽出した広告等を記憶する（Ｓ３０４）。
【００８４】
（２）トラヒック量の少ない時間帯に広告等を端末に送信する他の動作例
なお、広告サーバ３１０は、所定の時刻になると、広告等を端末３４０に送信してもよい。具体的には、端末３４０がＳ３０１の代わりにＳ１を実施し、広告サーバ３１０がＳ２を実施した後に、所定の時刻になると、設定されている広告等を（電気信号に変換して）端末３４０に送信してもよい。
【００８５】
（３）日中等に端末利用者が通信を行ったときの動作（広告表示等の動作）
上述のＳ３０４の後、端末３４０の利用者が、他の端末３７０と通信を行う為、端末３７０の電話番号を端末３４０の入力デバイスに入力し、通話ボタンを押下したとする。
【００８６】
通話ボタンを押下された端末３４０は、記憶する広告や質問を自身に備わる画面に表示する（Ｓ３０５）。
【００８７】
次に、端末３４０は、上述のＳ６と同様、入力された質問に対する回答を、回答を示す信号に含めて広告サーバ３１０に出力する（Ｓ３０６）。
【００８８】
具体的には、端末３４０は、質問に対する回答が入力デバイスに入力されると、入力デバイスから出力されるデータ、すなわち回答データを、回答を示す信号に含めて広告サーバ３１０に出力する。
【００８９】
次に、広告サーバ３１０、課金サーバ２０、および広告主端末３０は、回答を示す信号が広告サーバ３１０に入力されたことを契機に、上述したＳ６〜Ｓ１０の動作を実施する（Ｓ３０７）。
【００９０】
次に、広告サーバ３１０は、Ｓ６〜Ｓ１０を実施後、通信許可を示す信号（以下、「通信許可信号」という）を端末３４０に出力する（Ｓ３０８）。
【００９１】
次に、端末３４０は、通信終許可信号が広告サーバ３１０から入力されると、一般的な手順、例えばＩＴＵ−ＴのＨ．２２５に規定される手順に従って、通信を開始する（Ｓ３０９）。
【００９２】
その他の動作については、第１の実施の形態の動作と同様である為、詳細の説明を省略する。
【００９３】
［効果の説明］
本実施形態の通信システムは、通信トラヒック量の少ない時間帯に広告や質問が広告サーバから端末に送信されるので、第１の実施の形態の通信システムよりも通信の輻輳が発生しにくい効果を有する。
【００９４】
［第４の実施の形態］
次に、本発明の第４の実施の形態について説明する。第４の実施の形態の通信システムは、複数の広告と質問を記憶し、記憶する複数の広告と質問を１つずつ広告サーバから端末に送信するシステムである。端末利用者は、複数の広告を視聴することができる。また、第４の実施の形態の通信システムは、端末利用者によって所定のキーが押下された場合に、広告サーバから端末へ複数の広告を送信することを中止する。
【００９５】
［構成の説明］
図１０は、本発明の第４の実施の形態における通信システムの構成例を示す図である。
【００９６】
本実施形態の通信システムは、図１０に示されるように、広告サーバ１０、広告主端末３０、および端末４０の代わりに、広告サーバ４１０、広告主端末４３０、および端末４４０を備える。また、本実施形態の通信システムは、図１０に示されるように、端末４４０の通信先の端末として端末４７０を備える。
【００９７】
上述した以外の構成は、第１の実施の形態のおける通信システムと同じであるので、同一の符号を付して説明を省略する。
【００９８】
[動作の説明]
図１１は、本発明の第４の実施の形態における通信システムの動作を説明する為の図である。図１１を用いて、本実施形態における通信システムの動作を説明する。
【００９９】
（１）広告サーバ４１０への事前設定
広告サーバ４１０には、広告、広告の内容に関する質問、および広告のタイトル名（以下、「広告Ｂ等」という）が関連づけられて複数、本実施形態の通信システムの管理者によって設定される。広告サーバ４１０は、広告Ｂ等が自身に設定されると、設定された広告Ｂ等に広告未送信を示す値を関連づける。上述の広告未送信を示す値は、広告Ｂ等が設定される前に、本実施形態の通信システムの管理者によって広告サーバ４１０に事前に設定される。
【０１００】
（２）端末４４０への事前設定
端末４４０の製造者は、端末４４０に備わる入力デバイスのキーのうち、質問の回答に使われないと想定されるキーを中止キーに決定し、中止キーを示すテキストデータを端末４４０に設定する。ここでは、中止キーが、＃キーであるものとして説明を続ける。
【０１０１】
（３）本実施形態の通信システムの動作
以下、本実施形態の通信システムにおいて、設定された複数の広告Ｂ等が広告サーバ４１０から端末４４０に送信される動作を説明する。また、中止キーが押下された場合に広告Ｂ等の送信を中止する動作についても併せて説明する。
【０１０２】
（３−１）広告サーバ４１０が広告Ｂ等を端末４４０に送信する動作
まず、端末４４０の利用者が、他の端末４７０と通話する為、端末４７０の電話番号を端末４４０の入力デバイスに入力し、通話ボタンを押下すると、端末４４０は、図１１に示されるように、広告開始要求信号を広告サーバ４１０に出力する（Ｓ４０１）。
【０１０３】
次に、広告サーバ４１０は、広告開始要求信号が端末４４０から入力されると、上述のＳ２と同様、入力された広告開始要求信号から端末４４０の端末識別子を抽出し、記憶する（Ｓ２）。
【０１０４】
次に、広告サーバ４１０は、自身に設定されている複数の広告Ｂ等のうち、広告未送信を示す値が関連づけられている広告Ｂ等を任意に抽出し、抽出した広告Ｂ等を電気信号に変換して端末４４０に送信する（Ｓ４０３）。
【０１０５】
次に、広告サーバ４１０は、広告Ｂ等を送信すると、送信した広告Ｂ等に関連づけられている広告未送信を示す値を削除する（Ｓ４０４）。次回、上述のＳ４０３を行ったとき、未送信の広告Ｂ等が端末４４０に送信されるようにするためである。
【０１０６】
上述のＳ４０３の後、端末４４０は、入力された電気信号から広告Ｂ等、すなわち広告、広告の内容に関する質問、および広告のタイトル名を抽出し、それらを自身に備わる画面に表示する（Ｓ４０５）。
【０１０７】
さらに、端末４４０は、入力デバイスのキーのうち、広告の表示を中止する中止キーがどれかを表示する（Ｓ４０６）。
【０１０８】
具体的には、端末４４０は、中止キーを示すテキストデータ（上述の「（２）端末４４０への事前設定」で設定）を画面に表示する。
【０１０９】
例えば、中止キーを示すテキストデータが「広告の表示を中止する中止キーは、＃キーです。」を示すデータならば、端末４４０は、「広告の表示を中止する中止キーは、＃キーです。」と画面に表示してもよい。
【０１１０】
（３−２）端末利用者からの入力
次に、端末４４０の利用者は、図示していないが、広告と質問を確認し、質問に対する回答を、端末４４０に備わる入力デバイスを介して端末４４０に入力する。このとき、端末４４０の利用者は、これ以上、広告を視聴したくなければ、中止キー（＃キー）を押下し、＃を回答として端末４４０に入力する。
【０１１１】
（３−３）端末利用者が広告を視聴したことを広告主へ通知する動作
次に、端末４４０は、上述のＳ５と同様、入力された回答を、回答を示す信号に含めて広告サーバ４１０に出力する（Ｓ４０７）。
【０１１２】
具体的には、端末４４０は、回答が入力デバイスに入力されると、その入力デバイスから出力されるデータ、すなわち回答データを、回答を示す信号に含めて広告サーバ４１０に出力する。なお、入力デバイスから出力されるデータのうち、＃に対応するデータは、以下、「中止を要求する回答データ」という。それ以外のデータ（つまり、＃に対応するデータ以外のデータ）は、以下、「通常の回答データ」という。
【０１１３】
次に、広告サーバ４１０は、回答を示す信号が端末４４０から入力されると、その信号から回答データを抽出し、抽出した回答データが、通常の回答データであるのか否か判別する（Ｓ４０８）。
【０１１４】
具体的には、広告サーバ４１０は、抽出した回答データが、中止を要求する回答データ（つまり、＃に対応するデータ）ではないことを判別する。上述の中止を要求する回答データは、本実施形態の通信システムの管理者によって広告サーバ４１０に設定される。
【０１１５】
次に、広告サーバ４１０は、回答データが中止を要求する回答データ（＃に対応するデータ）でなく、通常の回答データであった場合（Ｓ４０８でＹｅｓの場合）には、回答データが所定のデータと同じかどうかを判別し、回答が正しい回答かを確認する（Ｓ６）。
【０１１６】
次に、広告サーバ４１０は、回答が正しい回答である場合（Ｓ６でＹｅｓの場合）、端末４４０の利用者が広告を視聴しているので、端末利用者が広告を視聴したことを示す信号を広告主端末４３０に出力する（Ｓ４０９）。
【０１１７】
なお、上述のＳ４０９において、広告サーバ４１０は、端末利用者が広告を視聴したことを示す信号、すなわち広告視聴済信号に上述のＳ２で抽出した端末識別子と広告のタイトル名を含めて出力する。出力する広告のタイトル名は、上述のＳ４０３で送信した広告のタイトル名である。
【０１１８】
次に、広告主端末４３０は、Ｓ４０９によって広告サーバ１０から広告視聴済信号が入力されると、その広告視聴済信号から端末識別子とタイトル名を抽出し、自身に備わる画面に表示する（Ｓ４１０）。
【０１１９】
広告主は、広告主端末４３０の画面を見て、端末識別子が示す端末の利用者がタイトル名の広告を視聴したことが分かる。
【０１２０】
次に、広告サーバ４１０は、広告視聴済信号を広告主端末４３０に出力した後、上述のＳ９と同様に、通信料の減額を要求する信号、すなわち減額要求信号を課金サーバ２０に出力する（Ｓ９）。
【０１２１】
（３−４）Ｓ６でＮｏの場合の動作
広告サーバ４１０は、上述のＳ６で回答データが所定のデータと異なると判別した場合（Ｓ６でＮｏの場合）には、以下のＳ４１１を実施する。
【０１２２】
広告サーバ４１０は、上述のＳ９を実施したとき、若しくは上述のＳ６でＮｏの場合には、設定されている広告が全て端末４４０に送信されたかを判別する（Ｓ４１１）。
【０１２３】
具体的には、広告サーバ４１０は、自身に設定されている全ての広告Ｂ等において、いずれも広告未送信を示す値が削除されているかどうかを判別する。
【０１２４】
上述のＳ４１１において、広告サーバ４１０は、設定されている広告が全て端末４４０に送信されたと判別した場合（Ｓ４１１でＹｅｓの場合）には、通信を許可する信号を端末４４０に出力する（Ｓ４１２）。
【０１２５】
具体的には、広告サーバ４１０は、広告サーバ４１０は、自身に設定された全ての広告Ｂ等において、いずれも広告未送信を示す値が削除されている場合には、通信を許可する信号を端末４４０に出力する。
【０１２６】
（３−５）Ｓ４１１でＮｏの場合の動作
一方、広告サーバ４１０は、上述のＳ４１１において、設定されている広告が全て端末４４０に送信されていない場合（Ｓ４１１でＮｏの場合）には、Ｓ４０３に戻り、広告未送信を示す値が関連づけられている広告Ｂ等を端末４４０に送信する。全ての広告を端末４４０に送信する為である。
【０１２７】
（３−６）Ｓ４０８でＮｏの場合の動作
また、上述のＳ４０８の判別で、回答データが、中止を要求する回答データであり、通常の回答データではない場合（Ｓ４０８でＮｏの場合）には、広告サーバ４１０は、上述のＳ４１２を実施し、通信を許可する信号を端末４４０に出力する（Ｓ４１２）。これにより、全ての広告を端末４４０に送信するＳ４０３〜Ｓ４１１の処理を中止することとなる。
【０１２８】
（３−７）端末４４０の動作
次に、端末４４０は、上述のＳ４１２により、通信を許可する信号が広告サーバ４１０から入力されると、一般的な手順、例えば、ＩＴＵ−ＴのＨ．２２５に規定される手順に従って、端末４７０と通信を開始する（Ｓ４１３）。
【０１２９】
上述のＳ４１２の後、広告サーバ４１０は、通信を許可する信号を端末４４０に出力すると、設定されている広告Ｂ等全てに広告未送信を示す値を関連づける（Ｓ４１４）。再度、広告開始要求信号が入力されたときに、上述のＳ４０３以降の動作を実行できるようにする為である。
【０１３０】
（３−８）端末４４０の他の動作例
なお、端末４４０は、電源ボタンが端末利用者によって押下されると、広告開始要求信号を広告サーバ４１０に出力する機能を有してもよい。その場合、端末４４０の利用者は、電源ボタンを押下し、通信を終了するときに、複数の広告を視聴することができる。
【０１３１】
その他の動作については、第１の実施の形態の動作と同様である為、詳細の説明を省略する。
【０１３２】
［効果の説明］
本実施形態の通信システムは、設定されている複数の広告を広告サーバから端末に送信するので、端末利用者は、複数の広告を視聴することができる。
【０１３３】
［第５の実施の形態］
次に、本発明の第５の実施の形態について説明する。本実施形態の通信システムに備わる広告サーバは、広告と共にアンケートを端末に送信する。アンケートとは、広告に関する意識を尋ねる質問と複数の回答選択肢が示されたテキストデータである。広告サーバは、端末から送られてきたアンケートに対する回答が複数の回答選択肢のいずれかならば、その回答選択肢を広告主に提供する。その結果、回答選択肢を提供された広告主は、広告が端末利用者にどのように認識されているかを確認することができる。
【０１３４】
［構成の説明］
図１２は、本発明の第５の実施の形態における通信システムの構成例を示す図である。
【０１３５】
本実施形態の通信システムは、図１２に示されるように、広告サーバ１０、広告主端末３０、および端末４０の代わりに、広告サーバ５１０、広告主端末５３０、および端末５４０を備える。
【０１３６】
なお、上述した以外の構成は、第１の実施の形態のおける通信システムと同じであるので、同一の符号を付して説明を省略する。
【０１３７】
[動作の説明]
図１３は、本発明の第５の実施の形態における通信システムの動作を説明する為の図である。図１３を用いて、本実施形態における通信システムの動作を説明する。
【０１３８】
（１）広告サーバ５１０への事前設定
広告サーバ５１０には、広告とアンケートが本実施形態の通信システムの管理者によって設定される。広告サーバ５１０は、広告とアンケートが設定されると、広告とアンケートに広告未送信を示す値を関連づける。上述の広告未送信を示す値は、広告とアンケートが設定される前に、本実施形態の通信システムの管理者によって広告サーバ５１０に事前に設定される。
【０１３９】
また、前述のアンケートは、広告に関する意識を尋ねる質問と複数の回答選択肢が示されたテキストデータであって、例えば、以下のようなものであってもよい。
【０１４０】
「この広告からどんな印象を受けますか？
１．斬新な  ２．癒される  ３．親しみのある  ４．何とも思わない
該当する数字キーを入力して回答して下さい。」
（２）本実施形態の通信システムの動作
本実施形態の通信システムの動作の詳細を以下に説明する。
【０１４１】
（２−１）広告とアンケートの表示
まず、広告サーバ５１０は、上述のＳ１、２を実施すると、設定されている広告とアンケートを電気信号に変換して端末５４０に送信する（Ｓ５０３）。
【０１４２】
次に、端末５４０は、入力された電気信号から広告とアンケートを抽出し、それらを自身に備わる画面に表示する（Ｓ５０４）。
【０１４３】
例えば、端末５４０は、自身に備わる画面に、
「この広告からどんな印象を受けますか？
１．斬新な  ２．癒される  ３．親しみのある  ４．何とも思わない
該当する数字キーを入力して回答して下さい。」
と表示してもよい。
【０１４４】
（２−２）端末利用者からの入力
次に、端末５４０の利用者は、図示していないが、広告とアンケートを視聴し、アンケートに対する回答を端末５４０に備わる入力デバイスから端末５４０に入力する。なお、端末５４０の利用者は、前述の回答選択肢のいずれかを回答として入力する。
【０１４５】
（２−３）広告主へのアンケート結果の通知
次に、端末５４０は、入力された回答を、回答を示す信号に含めて広告サーバ５１０に出力する（Ｓ５０５）。
【０１４６】
具体的には、端末５４０は、回答が入力デバイスに入力されると、その入力デバイスから出力されるデータ、すなわち回答データを、回答を示す信号に含めて広告サーバ５１０に出力する。
【０１４７】
次に、広告サーバ５１０は、回答を示す信号が端末５４０から入力されると、その信号から回答（回答データ）を抽出し、抽出した回答が前述の回答選択肢のいずれかに該当するかを判別する（Ｓ５０６）。
【０１４８】
具体的には、広告サーバ５１０は、入力された回答を示す信号から回答データを抽出し、抽出した回答データが所定のデータの１つと同じかどうかを判別する。上述の所定のデータは、前述した各回答選択肢に対応するデータであって、本実施形態の通信システムの管理者によって回答選択肢分、広告サーバ５１０に事前に設定される。
【０１４９】
次に、広告サーバ５１０は、回答が回答選択肢のいずれかに該当する場合（Ｓ５０６でＹｅｓの場合）には、該当した回答選択肢とＳ２で抽出した端末識別子とを広告視聴済信号に含めて広告主端末５３０に出力する（Ｓ５０７）。
【０１５０】
具体的には、広告サーバ５１０は、抽出した回答データが所定のデータの１つと同じ場合には、該当した所定のデータとＳ２で抽出した端末識別子とを広告視聴済信号に含めて広告主端末５３０に出力する。
【０１５１】
次に、広告主端末５３０は、広告視聴済信号が入力されると、その信号から所定のデータと端末識別子を抽出し、自身に備わる画面に表示する（Ｓ５０８）
。広告主は、広告主端末５３０に表示された所定のデータ、すなわち回答選択肢を見て、広告が端末利用者にどのように認識されているかを確認することができる。
【０１５２】
（２−４）通信料の減額
次に、本実施形態の通信システムは、以下のＳ５０９〜Ｓ５１１のように、アンケート（質問）に対する回答の内容に応じて端末４０の通信料金を減額する金額を求める。本実施形態の通信システムは、求めた金額分、端末４０の通信料金を減額する。
【０１５３】
まず、広告主端末５３０は、上述のＳ５０７にて広告視聴済信号を出力すると、Ｓ５０７で該当した所定のデータ、すなわち回答選択肢と、Ｓ２で抽出した端末識別子を減額要求信号に含めて課金サーバ２０に出力する（Ｓ５０９）。
【０１５４】
次に、課金サーバ２０は、減額要求信号が入力されると、減額要求信号から端末識別子と回答選択肢を抽出し、回答選択肢に対応する金額を減額テーブルから求める（Ｓ５１０）。
【０１５５】
広告主端末５３０には、本実施形態の通信システムの管理者によって、回答選択肢と、回答選択肢に応じて減額する金額とが対応づけられた減額テーブルが予め設定されている。
【０１５６】
次に、課金サーバ２０は、Ｓ５１０で抽出した端末識別子が示す端末４０の通信料金を、Ｓ５１０で求めた金額分、減額する（Ｓ５１１）。
【０１５７】
（２−５）端末数について
本実施形態の通信システムは、図示していないが、端末は端末５４０の１台に限らず、２台以上備えていてもよい。その場合、広告サーバ５１０は、各端末から回答を示す信号が入力される度に、上述のＳ５０６〜５０７を実施し、所定のデータ、すなわち回答選択肢を広告主の持つ端末に送信する。
【０１５８】
［効果の説明］
本実施形態の通信システムは、端末利用者に広告がどのように認識されているかを広告主に提供することができる。その理由は、本実施形態の通信システムに備わる広告サーバが、広告に関する意識を尋ねる質問と複数の回答選択肢を含むアンケートを端末に送信し、端末から送信されてきたアンケートの回答が回答選択肢の１つならば、その回答を広告主の端末に出力するからである。
【０１５９】
［第６の実施の形態］
次に、本発明の第６の実施の形態について説明する。
【０１６０】
［構成の説明］
図１４は、本発明の第６の実施の形態における通信システムの構成例を示す図である。
【０１６１】
本実施形態の通信システムは、図１４に示されるように、サーバ１０００と端末１１００を備える。サーバ１０００は、端末１１００と接続される。
【０１６２】
サーバ１０００は、所定の第１の情報を端末１１００に送信するサーバであって、所定の第１の情報を送信する際、第１の情報に関連する事柄の入力を促す第２の情報も送信する。サーバ１０００は、端末１１００から送られてきた第２の情報に対する応答が所定の応答に対応するならば、第１の所定の信号を出力する。
【０１６３】
端末１１００は、受信した第１の情報および第２の情報を自身に備わる画面に表示する。端末１１００は、その後、入力されたデータを第２の情報に対する応答として出力する。
【０１６４】
[動作の説明]
まず、サーバ１０００は、所定の第１の情報を送信する際、第１の情報に関連する事柄の入力を促す第２の情報も送信する。
【０１６５】
上述の第１の情報は、例えば、広告であってもよい。第２の情報は、例えば、「端末画面の広告の右上に表示されている物を入力してください」等、第１の情報（広告）に関連する事柄の入力を促す依頼であってもよい。また、第２の情報は、「この広告に表示されている物は何ですか？」等、第１の情報（広告）に関連する事柄の入力を促す質問であってもよい。
【０１６６】
次に、端末１１００は、サーバ１０００から受信した第１の情報および第２の情報を自身に備わる画面に表示する。
【０１６７】
次に、端末１１００の利用者は、第１の情報および第２の情報を視聴し、第２の情報に従って、第１の情報に関連する事柄を端末１１００に備わる入力デバイスに入力する。
【０１６８】
上述の入力デバイスは、端末に備わる一般的な入力デバイスであって、例えば、音声認識機能を有するマイク、タッチパネル、キーボード、端末キー等である。
【０１６９】
次に、第１の情報に関連する事柄が入力デバイスに入力されると、端末１１００は、入力デバイスから出力されるデータを第２の情報に対する応答としてサーバ１０００に出力する。
【０１７０】
サーバ１０００は、端末１１００から送られてきた第２の情報に対する応答が所定の応答に対応するならば、第１の所定の信号を出力する。
【０１７１】
所定の応答は、本実施形態の通信システムの管理者によってサーバ１０００に設定される。本実施形態の通信システムの管理者は、第２の情報に基づいて正しい事柄が端末１１００の入力デバイスに入力された場合に、その入力デバイスから出力されるデータを所定の応答としてサーバ１０００に予め設定しておく。
【０１７２】
［効果の説明］
本実施形態の通信システムは、広告を端末利用者が実際に視聴したことを本実施形態の通信システムのユーザに通知することができる。
【０１７３】
その理由は、本通信システムの広告サーバが、第１の情報に関連する事柄の入力を促す第２の情報を端末に送信し、端末から送信されてきた第２の情報に対する応答が正しい応答ならば、端末利用者が広告を視聴したと判別し、所定の信号を出力するからである。
【０１７４】
本実施形態の通信システムのユーザは、携帯端末の利用者が実際に広告を視聴したことが分かるので、広告の効果を十分に確認することができる。
【０１７５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１７６】
この出願は、２０１３年８月１日に出願された日本出願特願２０１３−１６０１７６を基礎とする優先権を主張し、その開示の全てをここに取り込む。
【０１７７】
さらに、上記の各実施形態の一部又は全部は、以下の付記のようにも記載されうるが、以下には限られない。
（付記１）
所定の第１の情報を端末に送信するサーバであって、
前記第１の情報を送信する際、前記第１の情報に関連する事柄の入力を促す第２の情報も送信し、
前記端末から送られてきた前記第２の情報に対する応答が所定の応答に対応するならば、第１の所定の信号を出力する、
ことを特徴とするサーバ。
（付記２）
前記第１の所定の信号は、前記端末に対応する端末識別子を含む、
ことを特徴とする付記１に記載のサーバ。
（付記３）
所定の時刻になると、前記第１の情報と前記第２の情報を送信する、
ことを特徴とする付記１乃至２のいずれか１項に記載のサーバ。
（付記４）
前記第２の情報は、質問であり、
前記端末から送られてきた前記質問に対する回答が、所定の回答に対応するならば、前記第１の所定の信号を出力する、
ことを特徴とする付記１乃至３のいずれか１項に記載のサーバ。
（付記５）
前記第２の情報は、質問と少なくとも１つの回答選択肢を含むアンケートであり、
前記端末から送られてきた前記アンケートに対する回答が、前記回答選択肢のいずれかに対応するならば、対応する前記回答選択肢を出力する、
ことを特徴とする付記１乃至３のいずれか１項に記載のサーバ。
（付記６）
サーバと端末を備える通信システムであって、
前記サーバは、付記１乃至５のいずれか１項に記載のサーバであり、
前記端末は、受信した前記第１の情報と前記第２の情報を自身に備わる画面に表示し、その後、入力されたデータを前記第２の情報に対する前記応答として出力する端末である、
ことを特徴とする通信システム。
（付記７）
前記端末は、受信した前記第１の情報および前記第２の情報を所定のタイミングに表示する、
ことを特徴とする付記６に記載の通信システム。
（付記８）
前記端末は、所定の時刻になると、前記第１の情報を要求する要求信号を前記サーバに出力し、
前記サーバは、前記要求信号が入力されると、前記第１の情報と前記第２の情報を送信する、
ことを特徴とする付記６乃至７のいずれか１項に記載の通信システム。
（付記９）
所定の第１の情報を端末に送信する方法であって、
前記第１の情報を前記端末に送信する際、前記第１の情報に関連する事柄の入力を促す第２の情報も送信し、前記端末から送られてきた前記第２の情報に対する応答が所定の応答に対応するならば、第１の所定の信号を出力する、
ことを特徴とする情報送信方法。
（付記１０）
所定の時刻になると、前記第１の情報と前記第２の情報を送信する、
ことを特徴とする付記９に記載の情報送信方法。
（付記１１）
自身が保持する全ての前記第１の情報と前記第２の情報を前記端末に送信していない場合には、送信していない前記第１の情報と前記第２の情報を前記端末に送信する、
ことを特徴とする付記１乃至５に記載のサーバ。
（付記１２）
前記第２の情報は、入力依頼であり、
前記端末から送られてきた前記入力依頼に対する応答が所定の応答に対応するならば、前記第１の所定の信号を出力する、
ことを特徴とする付記１乃至３、又は付記１１のいずれか１項に記載のサーバ。
（付記１３）
前記第１の情報は、広告である、
ことを特徴とする付記１乃至５、又は付記１１乃至１２のいずれか１項に記載のサーバ。
（付記１４）
前記第２の情報に対する応答が所定の応答に対応するならば、前記端末に対応する端末識別子を含む第２の所定の信号を出力する、
ことを特徴とする付記１乃至５、又は付記１１乃至１３のいずれか１項に記載のサーバ。
（付記１５）
前記端末は、自身に備わる所定のキーが押下されると、前記第１の情報を要求する要求信号を前記サーバに出力し、
前記サーバは、前記要求信号が入力されると、前記第１の情報と前記第２の情報を送信する、
ことを特徴とする付記６乃至７のいずれか１項に記載の通信システム。
（付記１６）
前記端末の通信料金を管理する課金サーバを備え、
前記課金サーバは、付記１４に記載の前記サーバから前記第２の所定の信号が入力されると、前記第２の所定の信号から抽出される前記端末識別子に対応する前記端末の前記通信料金を所定金額分、減額する、
ことを特徴とする付記６乃至８、又は付記１５のいずれか１項に記載の通信システム。
（付記１７）
前記課金サーバは、前記端末識別子に対応する前記端末の前記通信料金を、前記所定の応答に対応した所定金額分、減額する、
ことを特徴とする付記１６に記載の通信システム。
（付記１８）
前記所定のタイミングとは、前記端末が通信を開始するとき、又は前記端末が通信を終了するときである、
ことを特徴とする付記７乃至８、又は付記１５乃至１７のいずれか１項に記載の通信システム。
（付記１９）
付記２乃至５のいずれか１項、又は付記１１乃至１４のいずれか１項に記載の前記サーバから前記第１の所定の信号が入力されると、前記第１の所定の信号に含まれる前記端末識別子を表示する表示端末を備える、
ことを特徴とする付記６乃至８、又は付記１５乃至１８のいずれか１項に記載の通信システム。
（付記２０）
前記所定のキーは、電源ボタン、若しくは通話ボタンである、
ことを特徴とする付記１５乃至１９のいずれか１項に記載の通信システム。
（付記２１）
前記第１の情報は、広告である、
ことを特徴とする付記９乃至１０のいずれか１項に記載の情報送信方法。
【符号の説明】
【０１７８】
１０、２１０、３１０、４１０、５１０    広告サーバ
２０    課金サーバ
３０、４３０、５３０    広告主端末
４０、２４０、２７０、３４０、３７０、４４０、４７０、５４０、１１００    端末
５０    交換機
６０    基地局
１０００    サーバ
【図１】
2015015774.tif 000003
【図２】
2015015774.tif 000004
【図３】
2015015774.tif 000005
【図４】
2015015774.tif 000006
【図５】
2015015774.tif 000007
【図６】
2015015774.tif 000008
【図７】
2015015774.tif 000009
【図８】
2015015774.tif 000010
【図９】
2015015774.tif 000011
【図１０】
2015015774.tif 000012
【図１１】
2015015774.tif 000013
【図１２】
2015015774.tif 000014
【図１３】
2015015774.tif 000015
【図１４】
2015015774.tif 000016
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
所定の第１の情報を端末に送信するサーバであって、
前記第１の情報を送信する際、前記第１の情報に関連する事柄の入力を促す第２の情報も送信し、
前記端末から送られてきた前記第２の情報に対する応答が所定の応答に対応するならば、第１の所定の信号を出力する、
ことを特徴とするサーバ。
【請求項２】
前記第１の所定の信号は、前記端末に対応する端末識別子を含む、
ことを特徴とする請求項１に記載のサーバ。
【請求項３】
所定の時刻になると、前記第１の情報と前記第２の情報を送信する、
ことを特徴とする請求項１乃至２のいずれか１項に記載のサーバ。
【請求項４】
前記第２の情報は、質問であり、
前記端末から送られてきた前記質問に対する回答が、所定の回答に対応するならば、前記第１の所定の信号を出力する、
ことを特徴とする請求項１乃至３のいずれか１項に記載のサーバ。
【請求項５】
前記第２の情報は、質問と少なくとも１つの回答選択肢を含むアンケートであり、
前記端末から送られてきた前記アンケートに対する回答が、前記回答選択肢のいずれかに対応するならば、対応する前記回答選択肢を出力する、
ことを特徴とする請求項１乃至３のいずれか１項に記載のサーバ。
【請求項６】
サーバと端末を備える通信システムであって、
前記サーバは、請求項１乃至５のいずれか１項に記載のサーバであり、
前記端末は、受信した前記第１の情報と前記第２の情報を自身に備わる画面に表示し、その後、入力されたデータを前記第２の情報に対する前記応答として出力する端末である、
ことを特徴とする通信システム。
【請求項７】
前記端末は、受信した前記第１の情報および前記第２の情報を所定のタイミングに表示する、
ことを特徴とする請求項６に記載の通信システム。
【請求項８】
前記端末は、所定の時刻になると、前記第１の情報を要求する要求信号を前記サーバに出力し、
前記サーバは、前記要求信号が入力されると、前記第１の情報と前記第２の情報を送信する、
ことを特徴とする請求項６乃至７のいずれか１項に記載の通信システム。
【請求項９】
所定の第１の情報を端末に送信する方法であって、
前記第１の情報を前記端末に送信する際、前記第１の情報に関連する事柄の入力を促す第２の情報も送信し、前記端末から送られてきた前記第２の情報に対する応答が所定の応答に対応するならば、第１の所定の信号を出力する、
ことを特徴とする情報送信方法。
【請求項１０】
所定の時刻になると、前記第１の情報と前記第２の情報を送信する、
ことを特徴とする請求項９に記載の情報送信方法。
【国際調査報告】
2015015774.tif 000017
2015015774.tif 000018
2015015774.tif 000019
2015015774.tif 000020